(57)【要約】【課題】  読取センサの受光部や、シェーディング補正用の基準色が配色された場所への汚れの付着を低減すること。【解決手段】  自動原稿送り装置１では、原稿の裏面をスキャンする必要がない場合、裏面用の原稿読取ユニット５０Ｂ内において、搬送路１０から離れた所定の退避位置にＣＩＳ６０を待機させておくとともに遮蔽板７０を閉じておく。これによりＣＩＳ６０が搬送路１０から遮蔽される。また、遮蔽板７０には、シェーディング補正用の基準色板８０と、ＣＩＳ６０の受光部６０ａを清掃するための清掃用ブラシ９０が取り付けられている。【選択図】    図２
2007088919.tif 000002
【特許請求の範囲】
【請求項１】
搬送路に沿って原稿を搬送する搬送手段と、
前記搬送手段によって搬送中の原稿から、当該原稿を停止させることなく当該原稿の画像を読み取る読取センサと、
原稿の画像を読み取る必要がない場合には、前記搬送路から離れた所定の退避位置に前記読取センサを待機させておく一方、原稿の画像を読み取る場合には、前記退避位置に待機させておいた前記読取センサを前記搬送路の原稿走行面に面した所定の原稿読取位置へ移動させ、当該読取センサに搬送中の原稿の画像を読み取らせる制御手段と、
前記読取センサによって読み取られた画像データを出力する出力手段と
を備えることを特徴とする原稿読取装置。
【請求項２】
前記退避位置に待機させている前記読取センサを前記搬送路から遮蔽する遮蔽手段をさらに備える
ことを特徴とする請求項１記載の原稿読取装置。
【請求項３】
前記退避位置に待機させている前記読取センサの受光部と対向する位置には、前記読取センサについてシェーディング補正を行うための基準色が配色された平面が設けられており、
前記読取センサを前記退避位置に待機させている間に、当該読取センサに前記基準色を読み取らせてシェーディング補正を行う補正手段をさらに備える
ことを特徴とする請求項１または２に記載の原稿読取装置。
【請求項４】
前記退避位置に待機させている前記読取センサを前記搬送路から遮蔽するための開閉自在な遮蔽板と、
前記読取センサを前記退避位置に待機させている間、前記遮蔽板を閉じて前記読取センサを前記搬送路から遮蔽する遮蔽板開閉手段とをさらに備える
ことを特徴とする請求項１記載の原稿読取装置。
【請求項５】
前記遮蔽板のうち、当該遮蔽板を閉じたときに前記退避位置に待機させている前記読取センサの受光部と対向する位置には、前記読取センサについてシェーディング補正を行うための基準色が配色されており、
前記読取センサを前記退避位置に待機させている間に、当該読取センサに前記基準色を読み取らせてシェーディング補正を行う補正手段をさらに備える
ことを特徴とする請求項４記載の原稿読取装置。
【請求項６】
前記遮蔽板のうち、当該遮蔽板を閉じたときに前記退避位置に待機させている前記読取センサの受光部と対向する面には、前記受光部に付着している汚れを除去するための清掃部材が設けられており、
前記清掃部材は、前記遮蔽板の開閉時に前記受光部と摺接して当該受光部に付着している汚れを除去する
ことを特徴とする請求項４または５に記載の原稿読取装置。
【請求項７】
請求項１〜６のいずれかに記載の原稿読取装置を備える
ことを特徴とする画像形成装置。
【発明の詳細な説明】
【技術分野】
【０００１】
本発明は、原稿の画像を読み取る技術に関する。
【背景技術】
【０００２】
例えば、搬送路に沿って原稿を１枚ずつ搬送する原稿送り装置の中には、搬送路（原稿走行面）に面した位置にＣＩＳ（Contact Image Sensor／密着型イメージセンサ）等の読取センサを設け、この読取センサを用いて、搬送中の原稿を停止させることなくスキャンするものがある。このような原稿読取装置としての機能を兼ね備えた原稿送り装置では、読取センサの受光部に汚れが付着すると、読み取った原稿の画像中に黒筋や白筋が発生してしまうので、受光部への汚れの付着を極力抑える必要がある。
【０００３】
このため、例えば、特許文献１には、原稿読み取り部１４の上流にクリーニングローラ１５Ａを設け、このクリーニングローラ１５Ａによって原稿読み取り部１４の手前で原稿の画像読取面に付着している汚れを除去し、原稿読み取り部１４への汚れの付着を未然に防ぐことが記載されている。
【０００４】
また、特許文献２，３には、シェーディング補正用の基準色部材を原稿の走行面の下側に設け、原稿が搬送されていない期間に基準色を読取センサに読み取らせてシェーディング補正を行うことが記載されている。なお、特許文献２には、基準色部材として白色基準面３１を有するガイドローラ２６を用いることが記載されている。また、特許文献３には、基準色部材として、外周面が白色のローラー部材１５１や、多角柱の各面が白色の回転体１５２、転動可能な白色ベルト状部材１５３、巻取り式のロール状白色部材１５４等を用いることが記載されている。
【０００５】
【特許文献１】特開２０００−３２７１５９号公報
【特許文献２】特開２００１−３１３７９４号公報
【特許文献３】特開２００２−２９０６８５号公報
【発明の開示】
【発明が解決しようとする課題】
【０００６】
ところで、特許文献１に記載された技術では、原稿読み取り部１４の手前で原稿の画像読取面に付着している汚れを除去できるものの、例えば、原稿の搬送に伴って搬送路上にまき上がる紙紛やトナーのカス、塵や埃等が原稿読み取り部１４に汚れとして付着してしまうことを防ぐことができない。
【０００７】
また、特許文献２，３に記載された技術では、搬送路（原稿走行面）の直下に基準色部材が設けられているため、紙紛やトナーのカス、塵や埃等が基準色部材に汚れとして付着し易く、時間が経過するにつれて次第に正しい基準色を読み取ることができなくなってしまう。また、シェーディング補正のため読取センサに基準色を読み取らせる際、ガイドローラ２６の白色基準面３１が読取センサと対向する位置にくるよう位置合わせを行ったり、白色ベルト状部材１５３の転動やロール状白色部材１５４の巻取りを行い、汚れた白色基準面を変更しなければならない等、シェーディング補正に関する処理が煩雑であった。
【０００８】
本発明は、以上説明した事情に鑑みてなされたものであり、その目的は、読取センサの受光部や、シェーディング補正用の基準色が配色された場所への汚れの付着を低減することである。
【課題を解決するための手段】
【０００９】
上記課題を解決するため、本発明は、搬送路に沿って原稿を搬送する搬送手段と、前記搬送手段によって搬送中の原稿から、当該原稿を停止させることなく当該原稿の画像を読み取る読取センサと、原稿の画像を読み取る必要がない場合には、前記搬送路から離れた所定の退避位置に前記読取センサを待機させておく一方、原稿の画像を読み取る場合には、前記退避位置に待機させておいた前記読取センサを前記搬送路の原稿走行面に面した所定の原稿読取位置へ移動させ、当該読取センサに搬送中の原稿の画像を読み取らせる制御手段と、前記読取センサによって読み取られた画像データを出力する出力手段とを備える原稿読取装置を提供する。
【００１０】
本発明によれば、原稿読取装置では、原稿の画像を読み取る必要がない場合、搬送路から離れた所定の退避位置に読取センサを待機させておく。よって、原稿の搬送に伴なって搬送路上にまき上がる紙紛やトナーのカス、塵や埃等が読取センサの受光部に汚れとして付着してしまうことを低減できる。
【００１１】
また、上記構成を有する原稿読取装置において、前記退避位置に待機させている前記読取センサを前記搬送路から遮蔽する遮蔽手段をさらに備える構成であってもよい。
【００１２】
また、上記構成を有する原稿読取装置において、前記退避位置に待機させている前記読取センサの受光部と対向する位置には、前記読取センサについてシェーディング補正を行うための基準色が配色された平面が設けられており、前記読取センサを前記退避位置に待機させている間に、当該読取センサに前記基準色を読み取らせてシェーディング補正を行う補正手段をさらに備える構成であってもよい。
【００１３】
また、上記構成を有する原稿読取装置において、前記退避位置に待機させている前記読取センサを前記搬送路から遮蔽するための開閉自在な遮蔽板と、前記読取センサを前記退避位置に待機させている間、前記遮蔽板を閉じて前記読取センサを前記搬送路から遮蔽する遮蔽板開閉手段とをさらに備える構成であってもよい。
【００１４】
また、前記遮蔽板のうち、当該遮蔽板を閉じたときに前記退避位置に待機させている前記読取センサの受光部と対向する位置には、前記読取センサについてシェーディング補正を行うための基準色が配色されており、前記読取センサを前記退避位置に待機させている間に、当該読取センサに前記基準色を読み取らせてシェーディング補正を行う補正手段をさらに備える構成であってもよい。
【００１５】
また、前記遮蔽板のうち、当該遮蔽板を閉じたときに前記退避位置に待機させている前記読取センサの受光部と対向する面には、前記受光部に付着している汚れを除去するための清掃部材が設けられており、前記清掃部材は、前記遮蔽板の開閉時に前記受光部と摺接して当該受光部に付着している汚れを除去する構成であってもよい。
【００１６】
また、上記構成を有する原稿読取装置を備える画像形成装置を提供してもよい。
【発明の効果】
【００１７】
本発明によれば、読取センサの受光部や、シェーディング補正用の基準色が配色された場所への汚れの付着を低減できるから、原稿の画像を読み取る際の画質の低下を防ぐことができる。
【発明を実施するための最良の形態】
【００１８】
以下、図面を参照して本発明の実施形態について説明する。
［Ａ．第１実施形態］
図１は、本実施形態に係る自動原稿送り装置１の断面図である。この自動原稿送り装置１は、搬送中の原稿を一旦停止させてスキャンするベルト方式ではなく、搬送中の原稿を停止させることなくスキャンするＣＶＴ（Constant Velocity Transport）方式を採用している。自動原稿送り装置１の内部には、複数の搬送ローラ２０ａ，２０ｂ…２０ｌ，２０ｍが設けられており、これらの搬送ローラ２０ａ〜２０ｍは、図示を省略した駆動モータによって駆動され、原稿トレイ３０上にセットされた原稿を１枚ずつ、図中、点線で示す搬送路１０に沿って搬送し、排出トレイ４０に排出する。
【００１９】
また、自動原稿送り装置１には、原稿読取ユニット５０Ａ，５０Ｂが設けられている。図１に示す自動原稿送り装置１においては、搬送路１０に沿って搬送される原稿のうち、表側の面を原稿読取ユニット５０Ａでスキャンし、裏側の面を原稿読取ユニット５０Ｂでスキャンする。また、原稿読取ユニット５０Ａ，５０Ｂによって読み取られた原稿の画像データは、自動原稿送り装置１に接続されている複写機やプリンタ等の画像形成装置（図示を省略）に転送され、印刷用の原稿データとして用いられる。つまり、自動原稿送り装置１は、原稿読取ユニット５０Ａ，５０Ｂによって読み取られた画像データを外部の機器に出力することができ、また、画像形成装置は、自動原稿送り装置１から送られてきた画像データに基づく画像を記録用紙に印刷して出力する。
【００２０】
図２は、裏面用の原稿読取ユニット５０Ｂの内部構造を示す図である。ＣＩＳ６０は、発光ダイオード等の光源からの光を原稿に照射し、反射した光を受光することによって原稿の画像を光学的に読み取る密着型イメージセンサである。図２（ａ）においてＣＩＳ６０の下側中央には、反射光を受光するための受光部６０ａが設けられている。また、この受光部６０ａの両脇には、搬送路１０（原稿走行面）に面した所定の読取位置にＣＩＳ６０を移動させて原稿をスキャンさせる際に、搬送中の原稿が受光部６０ａに直接接触してしまうことを防ぐための半球状の突起部６０ｂが設けられている。
【００２１】
また、図２（ａ）においてＣＩＳ６０の直下には遮蔽板７０が設けられている。この遮蔽板７０は、原稿の裏面をスキャンしておらず、搬送路１０から離れた所定の退避位置にＣＩＳ６０を待機させている間、ＣＩＳ６０を搬送路１０から遮蔽しておくための開閉自在な板であり、図２（ｂ）に示すように図中左側に移動可能である。また、遮蔽板７０の上側中央には、シェーディング補正用の基準色（例えば白色）が配色された基準色板８０が取り付けられている。この基準色板８０は、図２（ａ）に示すように、遮蔽板７０が閉じられている場合にＣＩＳ６０の受光部６０ａと対向する。また、遮蔽板７０には、ＣＩＳ６０の受光部６０ａを清掃するための清掃用ブラシ９０が取り付けられている。
【００２２】
なお、図示を省略しているが、自動原稿送り装置１には制御部が備わっており、この制御部は、例えば、原稿読取ユニット５０Ｂにおいて原稿の裏面をスキャンする際に、搬送路１０に面した所定の読取位置にＣＩＳ６０を移動させる一方、スキャンを終えると、搬送路１０から離れた所定の退避位置にＣＩＳ６０を移動させる等、ＣＩＳ６０の位置を制御する。また、制御部は、基準色板８０上の基準色をＣＩＳ６０に読み取らせてシェーディング補正を行ったり、遮蔽板７０の開閉を制御する機能を有する。
【００２３】
次に、図２（ａ）〜図２（ｃ）を参照して自動原稿送り装置１の動作を説明する。まず、原稿の裏面をスキャンする必要がない場合、原稿読取ユニット５０Ｂでは、図２（ａ）に示すように、搬送路１０から離れた所定の退避位置にＣＩＳ６０が待機させられており、遮蔽板７０は閉じられている。つまり、原稿の裏面をスキャンする必要がない場合は、ＣＩＳ６０と搬送路１０が遮蔽板７０によって遮蔽されている。なお、原稿の裏面をスキャンする必要がない場合とは、例えば、自動原稿送り装置１の主電源がＯＦＦの場合や、主電源がＯＮであっても原稿が搬送されていない場合、あるいは原稿が搬送されている場合であっても表側の面のみスキャンするよう指示されていた場合等である。
【００２４】
この図２（ａ）に示す状態において、制御部は、基準色板８０上の基準色をＣＩＳ６０に読み取らせてシェーディング補正を行う。なお、シェーディング補正とは、光源から原稿に照射される光量の経時変化や、ＣＩＳ６０に組み込まれている受光素子の感度のバラツキ等を補正する処理である。また、シェーディング補正を行うタイミングは、例えば、自動原稿送り装置１の主電源がＯＮになった場合や、原稿の裏面をスキャンすることが指示された場合等、ＣＩＳ６０を退避位置に待機させ、遮蔽板７０を閉じている期間内であれば任意に定められる。
【００２５】
次に、原稿トレイ３０に原稿がセットされ、原稿の両面（または原稿の裏面）のスキャンが指示されると、制御部は、まず、図２（ｂ）に示すように遮蔽板７０を開く。遮蔽板７０が開かれる際には、遮蔽板７０に取り付けられた清掃用ブラシ９０がＣＩＳ６０の受光部６０ａに摺接し、これによって受光部６０ａに付着した汚れが除去される。次いで、制御部は、図２（ｃ）に示すように、搬送路１０（原稿走行面）に面した所定の読取位置にＣＩＳ６０を移動させる。原稿トレイ３０にセットされた原稿は搬送路１０に沿って１枚ずつ搬送され、ＣＩＳ６０は、搬送されてくる原稿を停止させることなく、その裏面の画像を順次スキャンしていく。また、制御部は、ＣＩＳ６０によって読み取られた画像データを自動原稿送り装置１に接続されている画像形成装置へ転送する。
【００２６】
一方、原稿トレイ３０にセットされた全ての原稿について裏面のスキャンを終えると、制御部は、まず、図２（ｂ）に示すように、搬送路１０から離れた所定の退避位置にＣＩＳ６０を移動させる。次いで、制御部は、図２（ａ）に示すように遮蔽板７０を閉じる。遮蔽板７０が閉じられる際には、遮蔽板７０に取り付けられた清掃用ブラシ９０がＣＩＳ６０の受光部６０ａに摺接し、これによって受光部６０ａに付着した汚れが除去される。
【００２７】
なお、遮蔽板７０は、図２（ａ）〜図２（ｃ）に示したように仕切り板１００の上側に設けられているのではなく、図３に示すように仕切り板１００の下側に設けられていてもよい。また、基準色板８０を取り付ける代わりに、遮蔽板７０自体の表面をシェーディング補正用の基準色で塗装したり、あるいは遮蔽板７０の地色が基準色となるような材料で遮蔽板７０を形成してもよい。
【００２８】
以上説明したように本実施形態によれば、自動原稿送り装置１では、原稿の裏面をスキャンする必要がない場合、原稿読取ユニット５０Ｂ（裏面用）内において、搬送路１０から離れた所定の退避位置にＣＩＳ６０を待機させておくとともに遮蔽板７０を閉じておき、これによってＣＩＳ６０を搬送路１０から遮蔽する。よって、原稿の搬送に伴なって搬送路１０上にまき上がる紙紛やトナーのカス、塵や埃等がＣＩＳ６０の受光部６０ａに汚れとして付着してしまうことを低減できる。
【００２９】
また、基準色板８０を搬送路１０の上方に設けたので、基準色板８０に対する汚れ（紙紛やトナーのカス、塵や埃等）の付着も従来に比べ低減できる。また、前述した特許文献２，３に記載されているように、読取センサに基準色を読み取らせる際、ガイドローラ２６の白色基準面３１が読取センサと対向する位置にくるよう位置合わせを行ったり、白色ベルト状部材１５３の転動やロール状白色部材１５４の巻取りを行い、汚れた白色基準面を変更する等といった処理を行なう必要もなく、シェーディング補正に関する処理を簡素化でき、装置も小型化できる。さらに、遮蔽板７０に清掃用ブラシ９０を取り付け、遮蔽板７０の開閉動作によってＣＩＳ６０の受光部６０ａを清掃できるようにしたので、受光部６０ａの清掃動作と遮蔽板７０の開閉動作を互いに独立して行う必要がない。
【００３０】
なお、原稿読取ユニット５０Ｂの内部構造については、図４に示すような変形例が考えられる。すなわち、図４に示すように、ＣＩＳ６０を収容する収容ケース１１０を退避位置に設け、ＣＩＳ６０を退避させた後、遮蔽板７０を閉じることで収容ケース１１０内の空間を密閉し、待機中のＣＩＳ６０を自動原稿送り装置１内で隔離する構成としてもよい。このような構成とすれば、待機中のＣＩＳ６０に紙紛やトナーのカス、塵や埃等が付着することを確実に防止できる。また、収容ケース１１０を用いてＣＩＳ６０の全体を密閉するのではなく、例えば、ＣＩＳ６０のうち受光部６０ａの部分のみに保護ケースをかぶせ、受光部６０ａの部分だけを遮蔽するようにしてもよい。
【００３１】
また、原稿読取ユニット５０Ｂの内部構造については、図５（ａ）〜図５（ｃ）に示すような変形例も考えられる。すなわち、図５（ａ）において実線で示す位置をＣＩＳ６０の通常の退避位置とする一方、シェーディング補正を行う際には図５（ａ）において点線で示す位置にＣＩＳ６０を移動させ、基準色板８０上の基準色を読み取らせる。なお、シェーディング補正を行うタイミングは、上述した第１実施形態と同様、ＣＩＳ６０を退避位置に待機させ、遮蔽板７３を閉じている期間内であれば任意に定められる。また、制御部は、原稿の両面（または原稿の裏面）のスキャンが指示されると、図５（ｂ）に示すように遮蔽板７３を開いた後、図５（ｃ）に示すように、搬送路１０に面した所定の読取位置にＣＩＳ６０を移動させ、搬送されてくる原稿の裏面をスキャンさせる。
【００３２】
［Ｂ．第２実施形態］
次に第２実施形態について説明する。本実施形態に係る自動原稿送り装置が第１実施形態で説明した自動原稿送り装置１と異なるのは、原稿読取ユニット（裏面用）の内部構造のみである。よって、第１実施形態と共通する部分については説明を省略するとともに同じ符号を使用するものとする。
【００３３】
図６は、第２実施形態に係る原稿読取ユニット５０Ｃ（裏面用）の内部構造を示す図である。まず、原稿の裏面をスキャンする必要がない場合、原稿読取ユニット５０Ｃでは、図６（ａ）に示すように、搬送路１０の下方に設けられた所定の退避位置にＣＩＳ６０が待機させられており、遮蔽板７５は閉じられている。なお、原稿の裏面をスキャンする必要がない場合については、第１実施形態で説明した通りである。また、遮蔽板７５には、第１実施形態において説明した基準色板８０や清掃用ブラシ９０は取り付けられておらず、基準色板８０については図６（ａ）に示すように、待機中のＣＩＳ６０の受光部６０ａと対向する位置（原稿読取ユニット５０Ｃの内壁）に取り付けられている。
【００３４】
図６（ａ）に示す状態において、制御部は、基準色板８０上の基準色をＣＩＳ６０に読み取らせてシェーディング補正を行う。シェーディング補正を行うタイミングは、第１実施形態と同様である。また、基準色板８０を取り付ける代わりに、原稿読取ユニット５０Ｃの内壁を、シェーディング補正用の基準色で塗装したり、地色が基準色となるような材料で形成してもよい。
【００３５】
また、制御部は、原稿トレイ３０に原稿がセットされ、原稿の両面（または原稿の裏面）のスキャンが指示されると、図６（ｂ）に示すように遮蔽板７５を開く。次いで、制御部は、図６（ｃ）に示すように、搬送路１０に面した所定の読取位置にＣＩＳ６０を移動させた後、遮蔽板７５を閉じる。そして、制御部は、搬送されてくる原稿の裏面をＣＩＳ６０にスキャンさせ、読み取られた画像データを画像形成装置へ転送する。一方、原稿トレイ３０にセットされた全ての原稿について裏面のスキャンを終えると、制御部は、図６（ｂ）に示すように、遮蔽板７５を開き、搬送路１０の下方に設けられた所定の退避位置にＣＩＳ６０を移動させ後、図６（ａ）に示すように遮蔽板７５を閉じる。
【００３６】
以上説明したように本実施形態においても、自動原稿送り装置では、原稿の裏面をスキャンする必要がない場合、原稿読取ユニット５０Ｃ（裏面用）内において、搬送路１０から離れた所定の退避位置にＣＩＳ６０を待機させておくとともに遮蔽板７５を閉じておき、これによってＣＩＳ６０を搬送路１０から遮蔽する。よって、原稿の搬送に伴なって搬送路１０上にまき上がる紙紛やトナーのカス、塵や埃等がＣＩＳ６０の受光部６０ａに汚れとして付着してしまうことを低減できる。また、搬送路１０（原稿走行面）の下方に基準色板８０を設けているものの、ＣＩＳ６０を移動させるときを除いて遮蔽板７５を閉じているので、基準色板８０に対する汚れの付着も従来に比べ低減できる。また、シェーディング補正に関する処理を簡素化できるとともに装置も小型化できる。
【００３７】
［Ｃ．第３実施形態］
次に第３実施形態について説明する。本実施形態においても第１実施形態で説明した自動原稿送り装置１と異なるのは、原稿読取ユニット（裏面用）の内部構造のみである。よって、異なる部分についてのみ図７を参照して説明を行う。
【００３８】
まず、原稿の裏面をスキャンする必要がない場合、原稿読取ユニット５０Ｄでは、図７（ａ）に示すように、搬送路１０の上方に設けられた所定の退避位置に、上下を１８０度反転させた状態でＣＩＳ６０が待機させられており、遮蔽板７５は閉じられている。なお、原稿の裏面をスキャンする必要がない場合については、第１実施形態で説明した通りである。また、遮蔽板７５には、第１実施形態において説明した基準色板８０や清掃用ブラシ９０は取り付けられておらず、基準色板８０については図７（ａ）に示すように、待機中のＣＩＳ６０の受光部６０ａと対向する位置（原稿読取ユニット５０Ｄの内壁）に取り付けられている。
【００３９】
図７（ａ）に示す状態において、制御部は、基準色板８０上の基準色をＣＩＳ６０に読み取らせてシェーディング補正を行う。シェーディング補正を行うタイミングは、第１実施形態と同様である。また、基準色板８０を取り付ける代わりに、原稿読取ユニット５０Ｄの内壁を、シェーディング補正用の基準色で塗装したり、地色が基準色となるような材料で形成してもよい。
【００４０】
また、制御部は、原稿トレイ３０に原稿がセットされ、原稿の両面（または原稿の裏面）のスキャンが指示されると、図７（ｂ）に示すように、遮蔽板７５を開き、ＣＩＳ６０の上下を１８０度反転させる。次いで、制御部は、図７（ｃ）に示すように、搬送路１０に面した所定の読取位置にＣＩＳ６０を移動させる。そして、制御部は、搬送されてくる原稿の裏面をＣＩＳ６０にスキャンさせ、読み取られた画像データを画像形成装置へ転送する。一方、原稿トレイ３０にセットされた全ての原稿について裏面のスキャンを終えると、制御部は、図７（ｂ）に示すように、遮蔽板７５を開き、ＣＩＳ６０の上下を１８０度反転させる。そして、図７（ａ）に示すように、搬送路１０の上方に設けられた所定の退避位置にＣＩＳ６０を移動させた後、遮蔽板７５を閉じる。
【００４１】
このように第３実施形態においても、ＣＩＳ６０の受光部６０ａを清掃できるようにした点を除いて第１実施形態と同等の効果を得ることができる。なお、各実施形態では、裏面用の原稿読取ユニット５０Ｂ，５０Ｃ，５０Ｄに本発明を適用した場合について説明したが、原稿の表側の面をスキャンする原稿読取ユニット５０Ａに本発明を適用することもできる。また、自動原稿送り装置１は、原稿の両面ではなく、片面のみをスキャンするものであってもよい。また、自動原稿送り装置１と複写機やプリンタ等を一体化させた画像形成装置であってもよい。
【図面の簡単な説明】
【００４２】
【図１】第１実施形態に係る自動原稿送り装置１の断面図である。
【図２】同実施形態に係る原稿読取ユニット５０Ｂ（裏面用）の内部構造を示す図である。
【図３】原稿読取ユニット５０Ｂの変形例を示す図（その１）である。
【図４】原稿読取ユニット５０Ｂの変形例を示す図（その２）である。
【図５】原稿読取ユニット５０Ｂの変形例を示す図（その３）である。
【図６】第２実施形態に係る原稿読取ユニット５０Ｃ（裏面用）の内部構造を示す図である。
【図７】第３実施形態に係る原稿読取ユニット５０Ｄ（裏面用）の内部構造を示す図である。
【符号の説明】
【００４３】
１…自動原稿送り装置、１０…搬送路、２０ａ〜２０ｍ…搬送ローラ、３０…原稿トレイ、４０…搬出トレイ、５０Ａ，５０Ｂ…原稿読取ユニット、６０…ＣＩＳ、６０ａ…受光部、６０ｂ…突起、７０，７３，７５…遮蔽板、８０…基準色板、９０…清掃用ブラシ、１００…仕切り板、１１０…収容ケース。
【図１】
2007088919.tif 000003
【図２】
2007088919.tif 000004
【図３】
2007088919.tif 000005
【図４】
2007088919.tif 000006
【図５】
2007088919.tif 000007
【図６】
2007088919.tif 000008
【図７】
2007088919.tif 000009